(57)【特許請求の範囲】
【請求項１】
前面にボディマウントまたはレンズを有する本体と、
前記本体内に収納された収納位置と前記本体外に突出した使用位置との間で、二以上の方向に可動なビューファインダーと
を備え、
前記ビューファインダーは、
ビューファインダーユニットと、
前記ビューファインダーユニットを被覆する化粧部材と
を有し、
前記化粧部材は、前記ボディマウントまたは前記レンズを回避する切欠きを有する
撮像装置。
【請求項２】
前記ビューファインダーは、互いに直交する二方向に可動である
請求項１記載の撮像装置。
【請求項３】
前記ビューファインダーは、前記収納位置から前記本体の上方に伸長したのち、前記本体の後方に進出して前記使用位置に至る
請求項１または２記載の撮像装置。
【請求項４】
前記本体は、上面に、前記ビューファインダーが前記本体に出入りする開口部を有する
請求項１ないし３のいずれか１項に記載の撮像装置。
【請求項５】
前記ビューファインダーは、
ビューファインダーユニットと、
前記ビューファインダーユニットを前記本体の上方に持ち上げる第１移動機構と
を有する請求項３または４記載の撮像装置。
【請求項６】
前記第１移動機構は機械的移動機構である
請求項５記載の撮像装置。
【請求項７】
前記第１移動機構は、
ベースフレームと、
前記ベースフレームに挿通されると共に前記ビューファインダーユニットに結合されたスライドフレームと、
前記ベースフレームと前記スライドフレームとの間に設けられ前記スライドフレームを上方に付勢する弾性部材と、
前記スライドフレームの上方への移動を規制する掛止機構と
を有する請求項６記載の撮像装置。
【請求項８】
前記弾性部材は、ばねである
請求項７記載の撮像装置。
【請求項９】
前記第１移動機構は電気的移動機構である
請求項５記載の撮像装置。
【請求項１０】
前記第１移動機構は、
ベースフレームと、
前記ベースフレームに挿通されると共に前記ビューファインダーユニットに結合されたスライドフレームと、
前記スライドフレームに設けられたラックと、
前記ベースフレームに固定されると共に前記ラックに噛み合うウォームギアを有するモーターと
を有する請求項９記載の撮像装置。
【請求項１１】
前記ビューファインダーは、前記ビューファインダーユニットを前記本体の後方に進出させる第２移動機構を更に有する
請求項５ないし１０のいずれか１項に記載の撮像装置。
【請求項１２】
前記第２移動機構は、弾性部材により構成されている
請求項１１記載の撮像装置。
【請求項１３】
前記弾性部材は、ばねである
請求項１２記載の撮像装置。
【請求項１４】
前記ビューファインダーは、前記ボディマウントまたは前記レンズを回避して設けられている
請求項１ないし１３のいずれか１項に記載の撮像装置。
【請求項１５】
視度調整部を更に備え、
前記視度調整部は、前記ビューファインダーの上面に設けられると共に、前記収納位置では前記本体内に隠蔽され、前記使用位置において操作可能となる
請求項１ないし１４のいずれか１項に記載の撮像装置。
【請求項１６】
アイセンサを更に備え、
前記アイセンサは、
センサ窓と、
前記センサ窓に対して垂直に設置されたセンサ装置と、
前記センサ窓と前記センサ装置との間の光路に設けられた反射部材と
を有する請求項１ないし１５のいずれか１項に記載の撮像装置。
【請求項１７】
前記反射部材は、曲面を有する
請求項１６記載の撮像装置。
【発明の詳細な説明】
【技術分野】
【０００１】
本開示は、小型デジタルスチルカメラ（ＤＳＣ）などに好適な撮像装置に関する。
【背景技術】
【０００２】
撮像装置では、携帯時の小型化を考慮してビューファインダーを本体に沿わせて折り畳み可能、または本体内部に収納可能としたものが提案されている（例えば、特許文献１または２参照。）。使用者はビューファインダーを手前に引き出して使用するようになっている。
【先行技術文献】
【特許文献】
【０００３】
【特許文献１】特開昭６０−１２１４３１号公報
【特許文献２】特開２００１−２６８４０２号公報
【発明の概要】
【０００４】
ビューファインダーを手前に引き出して使用するためには、ビューファインダーが本体に出入りする開口部を本体背面の鏡筒または表示部と干渉しない位置に配置することが望ましい。しかしながら、鏡筒の大口径化、表示部の大画面化に伴い、ビューファインダーの配置が難しくなり、本体の小型化の妨げとなっていた。
【０００５】
従って、小型化が可能な撮像装置を提供することが望ましい。
【０００６】
本開示の一実施の形態による撮像装置は、前面にボディマウントまたはレンズを有する本体と、本体内に収納された収納位置と本体外に突出した使用位置との間で、二以上の方向に可動なビューファインダーとを備えたものである。ビューファインダーは、ビューファインダーユニットと、ビューファインダーユニットを被覆する化粧部材とを有し、化粧部材は、ボディマウントまたはレンズを回避する切欠きを有する。
【０００７】
本開示の一実施の形態の撮像装置では、ビューファインダーが、本体内に収納された収納位置と本体外に突出した使用位置との間で、二以上の方向に可動である。ビューファインダーは、ビューファインダーユニットと、ビューファインダーユニットを被覆する化粧部材とを有し、化粧部材は、ボディマウントまたはレンズを回避する切欠きを有する。よって、ビューファインダーが本体に出入りする開口部を本体背面以外に設けることが可能となり、鏡筒の大口径化、表示部の大画面化への対応が容易になる。
【０００８】
本開示の一実施の形態の撮像装置によれば、ビューファインダーを、本体内に収納された収納位置と本体外に突出した使用位置との間で、二以上の方向に可動としている。ビューファインダーの化粧部材には切欠きを設け、本体前面のボディマウントまたはレンズを回避するようにしている。よって、小型化が可能となる。
【０００９】
なお、ここに記載された効果は必ずしも限定されるものではなく、本開示中に記載されたいずれの効果であってもよい。
【図面の簡単な説明】
【００１０】
【図１】本開示の第１の実施の形態に係る撮像装置をレンズ側から見た構成を表す斜視図である。
【図２】図１に示した撮像装置を表示部側から見た構成を表す斜視図である。
【図３】図１に示した収納位置において本体内のビューファインダーの配置を説明するための正面図である。
【図４】図１に示した撮像装置においてビューファインダーを収納位置から本体の上方に突出させた状態を表す斜視図である。
【図５】図４に示した撮像装置を表示部側から見た構成を表す斜視図である。
【図６】図４に示した撮像装置においてビューファインダーを本体の後方に進出させて使用位置とした状態を表す斜視図である。
【図７】図６に示した撮像装置を表示部側から見た構成を表す斜視図である。
【図８】図３に示したビューファインダーの収納位置における構成を表す斜視図である。
【図９】図８に示したビューファインダーの使用位置における構成を表す斜視図である。
【図１０】図８に示したビューファインダーユニットの収納位置における構成を表す正面図および側面図である。
【図１１】図８に示したビューファインダーユニットの使用位置における構成を表す側面図である。
【図１２】本開示の第２の実施の形態に係る撮像装置において、ビューファインダーの収納位置における構成を概略的に表す側面図である。
【図１３】図１２に示したビューファインダーの使用位置における構成を概略的に表す側面図である。
【図１４】本開示の第３の実施の形態に係る撮像装置において、アイセンサの位置を説明するための斜視図である。
【図１５】図１４に示したアイセンサの構成を表す断面図である。
【図１６】参照例１に係るアイセンサの構成を表す断面図である。
【図１７】図１５に示した反射部材の変形例を表す断面図である。
【図１８】参照例２に係るアイセンサの構成を表す断面図である。
【図１９】変形例１に係る撮像装置をレンズ側から見た構成を表す斜視図である。
【図２０】図１９に示した撮像装置を表示部側から見た構成を表す斜視図である。
【発明を実施するための形態】
【００１１】
以下、本開示の実施の形態について図面を参照して詳細に説明する。
１．第１の実施の形態（小型デジタル一眼カメラ；第１移動機構および第２移動機構を有し、第１移動機構および第２移動機構がいずれも機械的移動機構である例）
２．第２の実施の形態（第１の実施の形態において、第１移動機構が電気的移動機構である例）
３．第３の実施の形態（アイセンサの構成；センサ窓とセンサ装置との間の光路に反射部材を設ける例）
４．変形例１（デジタル一眼カメラへの適用例）
【００１２】
（第１の実施の形態）
図１は、本開示の第１の実施の形態に係る撮像装置を前方から見た構成を表したものである。図２は、この撮像装置を後方から見た構成を表したものである。この撮像装置１は、小型デジタル一眼カメラであり、例えば、本体１０と、ビューファインダー２０とを有している。ビューファインダー２０は、図３に示したように、非使用時には本体１０内の収納位置Ｐ１に収納されており、使用時には本体１０外の使用位置Ｐ２に突出するようになっている。
【００１３】
本明細書において、前方は、本体１０の前後方向Ｚにおいてレンズ側、被写体側とし、後方は、表示部側または像側とする。なお、前後方向Ｚは、本体１０に接続されるレンズ（図示せず）の光軸方向と同じである。本体１０の左右方向をＸ方向とし、左右は本体１０の後方から見て表す。本体１０の上下方向をＹ方向とする。
【００１４】
本体１０は、例えば直方体の形状を有しており、前面１０Ａにボディマウント１１が設けられ、内部に撮像素子および画像処理部（いずれも図示せず）が収納されている。本体１０の背面１０Ｂには、表示部１２が設けられている。
【００１５】
ボディマウント１１は、本体１０と交換式のレンズ（図示せず）との機械的または電気的な接続を行うものであり、ユーザは用途に合わせてレンズを選択して本体１０に接続可能となっている。なお、図１ではボディマウント１１にキャップ１１Ａをかぶせた状態を表している。撮像素子は、レンズを通して被写体像を受光面に結像させて光電変換により電気信号を生成するものであり、例えばＣＭＯＳ（Complementary Metal Oxide Semiconductor ）イメージセンサにより構成されている。画像処理部は、撮像素子で取得された電気信号またはユーザからの指示に基づいて画像処理を行い、画像データを生成するものである。
【００１６】
表示部１２は、レンズ（図示せず）による撮像画像を表示するものであり、例えば液晶パネルにより構成されている。
【００１７】
ビューファインダー２０は、撮影される像を目視確認して構図設定やピント合わせ等を行うためのものであり、ＯＶＦ（光学ビューファインダー）またはＥＶＦ（電子ビューファインダー）により構成されている。例えば電子ビューファインダーの場合には、覗き窓２１（図１ないし図３には図示せず、図７参照。）の奥に、接眼レンズ（図示せず）および液晶や有機ＥＬ（Electro Luminescence）などの表示画面（図示せず）を有する。
【００１８】
また、ビューファインダー２０は、本体１０内に収納された収納位置Ｐ１と本体１０外に突出した使用位置Ｐ２との間で、二以上の方向に可動である。これにより、この撮像装置１では、小型化が可能となっている。
【００１９】
ビューファインダー２０は、互いに直交する二方向に可動であることが好ましい。具体的には、ビューファインダー２０は、収納位置Ｐ１（図１ないし図３参照。）から、図４および図５の矢印Ａ１に示したように、本体１０の上方に伸長したのち、図６および図７の矢印Ａ２に示したように、本体１０の後方（接眼方向）に進出して使用位置Ｐ２に至ることが好ましい。ビューファインダー２０を本体１０の上方に伸長させることにより、使用位置Ｐ２は本体１０の上方に位置する。これにより、ビューファインダー２０が鏡筒や表示部１２の上方に位置する通常のデジタル一眼カメラの構成に近付け、使用者にとっての使いやすさを向上させることが可能となる。また、ビューファインダー２０を本体１０の後方に進出させることにより、眼までのクリアランスを小さくし、遮光性を高めることが可能となる。
【００２０】
ビューファインダー２０の本体１０の後方への進出量としては、例えば、ビューファインダー２０の接眼面２２Ａが本体１０の背面１０Ｂ（表示部１２）よりも後方に突出することが好ましい。これにより、眼とのクリアランスが小さくなると共に、使用者の鼻が表示部１２に当たってしまうおそれが小さくなり、使いやすさが向上する。
【００２１】
本体１０は、上面１０Ｃに、ビューファインダー２０が本体１０に出入りする開口部１３を有することが好ましい。これにより、ビューファインダー２０が本体１０に出入りする開口部１３を本体１０の背面１０Ｂ以外に設けることが可能となり、鏡筒の大口径化、表示部１２の大画面化への対応が容易になる。ちなみに、開口部１３を本体１０の背面１０Ｂに設ける場合には、本体１０のサイズを大きくするか、あるいは本体１０のサイズを同じにするなら、鏡筒は小さくなり、それにより倍率は低く、明るさは暗く、撮像素子のサイズも小さくなる。また、表示部１２のサイズも小さくなる。
【００２２】
なお、図１ないし図３に示した開口部１３の位置は、通常のデジタル一眼カメラではストロボが配置される場所である。本実施の形態ではストロボ１４の配置を変更し、開口部１３よりも中央寄りの位置に配置している。
【００２３】
ビューファインダー２０は、上述した図３に示したように、ボディマウント１１を回避して設けられていることが好ましい。これにより、ビューファインダー２０と鏡筒との干渉を回避することが可能となる。なお、ビューファインダー２０は、背面視において表示部１２と重なっていてもよい。
【００２４】
図８は、図３に示したビューファインダー２０を本体１０から取り出して、収納位置Ｐ１における構成を表したものである。図９は、図８に示したビューファインダー２０の使用位置Ｐ２における構成を表したものである。
【００２５】
ビューファインダー２０は、例えば、ビューファインダーユニット２２と、化粧部材２３と、第１移動機構２４と、第２移動機構２５（図１０および図１１参照。）と、視度調整部２６（図６、図７および図９参照）とを有している。
【００２６】
ビューファインダーユニット２２は、使用位置Ｐ２において本体１０外に露出する部分であり、例えば、上述した覗き窓２１（図５および図７参照。）と、覗き窓２１の奥に設けられた接眼レンズおよび表示画面（いずれも図示せず）とを有している。
【００２７】
化粧部材２３は、ビューファインダーユニット２２の覗き窓２１以外の側面および背面を被覆し、ビューファインダー２０および撮像装置１の外観を整えるものである。化粧部材２３は、例えば、上面化粧部材２３Ａと、側面化粧部材２３Ｂとを有している。上面化粧部材２３Ａは、ビューファインダー２０が収納位置Ｐ１にある場合には本体１０の上面１０Ｃの外装部材の一部を構成する。側面化粧部材２３Ｂは、ビューファインダー２０が使用位置Ｐ２にある場合にビューファインダーユニット２２の側面および背面を被覆している。
【００２８】
側面化粧部材２３Ｂは、ボディマウント１１を回避する切欠き２３Ｃを有していることが好ましい。これにより、図３に示したように、ビューファインダー２０を、ボディマウント１１を回避して配置することが可能となる。
【００２９】
第１移動機構２４は、ビューファインダーユニット２２を本体１０の上方に持ち上げるものであり、例えば、機械的移動機構により構成されている。具体的には、第１移動機構２４は、ベースフレーム３１と、スライドフレーム３２と、第１弾性部材３３と、掛止機構３４とを有している。ベースフレーム３１およびスライドフレーム３２は、スライドフレーム３２がベースフレーム３１に挿通された二重筒構造をなしている。なお、ベースフレーム３１およびスライドフレーム３２の内部は空洞になっており、ストロボ１４の電池などを収納可能となっていることが好ましい。
【００３０】
ベースフレーム３１は、例えば、金属板などよりなるベースフレーム本体３１Ａと、突出部３１Ｂと、回動規制部３１Ｃと、押さえ部３１Ｄとを有している。ベースフレーム本体３１Ａは、例えば、本体１０に固定されている。また、ベースフレーム本体３１Ａには、第１弾性部材３３の一端部３３Ａが固定されている。更に、ベースフレーム本体３１Ａには、第１弾性部材３３の他端部３３Ｂの移動範囲を規定する長孔３１Ｅが設けられている。突出部３１Ｂは、掛止機構３４を保持する部分であり、回動規制部３１Ｃおよび押さえ部３１Ｄと一体的に構成されている。回動規制部３１Ｃは、掛止機構３４の回動範囲を規制するものであり、掛止機構３４のガイド溝３４Ｂ内に設けられている。押さえ部３１Ｄは、掛止機構３４の鉤部３４Ｃがスライドフレーム３２の孔３２Ｂから脱落するのを抑制するものである。
【００３１】
スライドフレーム３２は、例えば、金属板などよりなるスライドフレーム本体３２Ａと、孔３２Ｂとを有している。スライドフレーム本体３２Ａは、ねじ３２Ｃ（図９参照。）によりビューファインダーユニット２２を覆う化粧部材２３に固定されている。孔３２Ｂは、掛止機構３４の鉤部３４Ｃを受容することにより、ビューファインダー２０を収納位置Ｐ１に保持するものである。
【００３２】
第１弾性部材３３は、ベースフレーム３１とスライドフレーム３２との間に設けられ、スライドフレーム３２を上方に付勢するものである。第１弾性部材３３は、例えば、ばねにより構成されていることが好ましい。ばねの種類は特に限定されないが、例えば、引張コイルばね、または、ねじりコイルばねにより構成されていることが好ましい。第１弾性部材３３の一端部３３Ａは、ベースフレーム３１のベースフレーム本体３１Ａに固定され、第１弾性部材３３の他端部３３Ｂはスライドフレーム３２のスライドフレーム本体３２Ａに固定されている。
【００３３】
掛止機構３４は、スライドフレーム３２の上方への移動を規制するものであり、例えば、取付部３４Ａと、ガイド溝３４Ｂと、鉤部３４Ｃと、受け部３４Ｄとを有している。取付部３４Ａは、ベースフレーム３１の突出部３１Ｂに回動可能に取り付けられている。ガイド溝３４Ｂは、掛止機構３４の回動範囲を規定するものである。ガイド溝３４Ｂ内には、ベースフレーム３１の回動規制部３１Ｃが設けられている。鉤部３４Ｃは、取付部３４Ａの一か所から下方に向けて延長されている。鉤部３４Ｃがスライドフレーム３２の孔３２Ｂに掛合することにより、ビューファインダー２０が収納位置Ｐ１に保持されるようになっている。受け部３４Ｄは、本体１０の側面１０Ｄに設けられたビューファインダー操作部（ボタン）１０Ｅを保持する部分である。非使用時には、ビューファインダー操作部１０Ｅが受け部３４Ｄに保持されることにより取付部３４Ａの回動が規制され、鉤部３４Ｃがスライドフレーム３２の孔３２Ｂに掛止した状態が維持される。使用時には、使用者がビューファインダー操作部１０Ｅをスライドさせると、ビューファインダー操作部１０Ｅが受け部３４Ｄから外れることにより、取付部３４Ａが回動し、鉤部３４Ｃがスライドフレーム３２の孔３２Ｂから外れるようになっている。
【００３４】
第２移動機構２５は、ビューファインダーユニット２２を本体１０の後方に進出させるものであり、例えば機械的移動機構により構成されている。具体的には、第２移動機構２５は、図１０および図１１に示したように、第２弾性部材４１を有している。第２弾性部材４１は、ビューファインダーユニット２２と化粧部材２３との間に設けられ、ビューファインダーユニット２２を後方（Ｚ方向）に付勢するものである。第２弾性部材４１は、例えば、ばねにより構成されていることが好ましい。ばねの種類は特に限定されないが、例えば、異形圧縮ばねにより構成されていることが好ましい。第２弾性部材４１の一端部４１Ａは、ビューファインダーユニット２２の背面に固定され、第２弾性部材４１の他端部４１Ｂは化粧部材２３に固定されている。非使用時には、ビューファインダーユニット２２は、本体１０の背面１０Ｂにより押さえられており、第２弾性部材４１の付勢力による移動が抑制されていることが好ましい。
【００３５】
なお、第２移動機構２５すなわち第２弾性部材４１を省略し、使用者がビューファインダーユニット２２を手で後方に引き出すようにすることも可能である。
【００３６】
視度調整部２６は、使用者の視力に合わせてビューファインダー２０の度数を調整するための操作部（レバー、つまみ、ダイヤル等）である。視度調整部２６は、ビューファインダー２０のビューファインダーユニット２２の上面に設けられていることが好ましい。また、視度調整部２６は、収納位置Ｐ１では化粧部材２３の上面化粧部材２３Ａで被覆されて本体１０内に隠蔽され（図１ないし図３参照。）、使用位置Ｐ２では化粧部材２３の上面化粧部材２３Ａから露出して操作可能となる（図６および図７参照。）ことが好ましい。このように視度調整部２６へのアクセスを限定することにより、意図せず視度調整部２６が操作されて設定変更されてしまうことを避けることが可能となる。また、視度調整部２６のビューファインダーユニット２２の上面からの突出量が小さくなり、ビューファインダー２０を使用位置Ｐ２から収納位置Ｐ１に復帰させても設定がリセットされるおそれが小さくなる。よって、使用の都度、視度調整部２６を調整し直す煩雑さを省き、使用者の利便性を高めることが可能となる。
【００３７】
この撮像装置１は、例えば次のように動作する。
【００３８】
非使用時には、ビューファインダー２０は、本体１０内の収納位置Ｐ１に収まっている（図１ないし図３参照。）。このとき、ビューファインダー操作部１０Ｅが掛止機構３４の受け部３４Ｄに保持されていることにより、掛止機構３４の取付部３４Ａの回動が規制され、掛止機構３４の鉤部３４Ｃがスライドフレーム３２の孔３２Ｂに掛合した状態が維持されている（図８参照。）。
【００３９】
使用時には、使用者は本体１０の側面１０Ｄのビューファインダー操作部（ボタン）１０Ｅをスライドさせる。これにより、ビューファインダー操作部１０Ｅが掛止機構３４の受け部３４Ｄから外れ、掛止機構３４の取付部３４Ａが回動して、掛止機構３４の鉤部３４Ｃがスライドフレーム３２の孔３２Ｂから脱出する（図９参照。）。その結果、第１弾性部材３３の付勢力によりスライドフレーム３２が本体１０の上方に移動し、ビューファインダーユニット２２が本体１０外にポップアップする（図４および図５参照）。
【００４０】
収納位置Ｐ１では、第２弾性部材４１の付勢力によるビューファインダーユニット２２の移動は、本体１０の外装部材の背面１０Ｂにより抑制されている（図１０参照。）。しかしながら、ビューファインダーユニット２２が本体１０外に進出すると、第２弾性部材４１の付勢力によりビューファインダーユニット２２が本体１０の後方に進出し、使用位置Ｐ２に至る（図１１参照。）。
【００４１】
また、使用位置Ｐ２では、視度調整部２６が化粧部材２３の上面化粧部材２３Ａから露出して操作可能となる。以上により、ビューファインダー２０が使用可能な状態となる。
【００４２】
このように本実施の形態では、ビューファインダー２０を、本体１０内に収納された収納位置Ｐ１と本体１０外に突出した使用位置Ｐ２との間で、二以上の方向に可動としている。よって、ビューファインダー２０が本体１０に出入りする開口部１３を本体１０の背面１０Ｂ以外に設けることが可能となり、鏡筒の大口径化、表示部１２の大画面化に対応しつつ本体１０を小型化することが可能となる。
【００４３】
（第２の実施の形態）
上記第１の実施の形態では、ビューファインダー２０を本体１０の上方に伸長させる第１移動機構２４が、機械的移動機構である場合について説明した。しかしながら、図１２および図１３に示したように、第１移動機構２４は電気的移動機構２７であることも可能である。
【００４４】
本実施の形態のビューファインダー２０は、例えば、ビューファインダーユニット２２と、電気的移動機構２７とを有している。電気的移動機構２７は、ビューファインダーユニット２２を本体１０の上方に持ち上げるものであり、例えば、ベースフレーム５１と、スライドフレーム５２と、ラック５３と、モーター５４とを有している。ベースフレーム５１およびスライドフレーム５２は、スライドフレーム５２がベースフレーム５１に挿通された二重筒構造をなしている。なお、ベースフレーム５１およびスライドフレーム５２の内部は空洞になっており、ストロボ１４の電池などを収納可能となっていることが好ましい。ラック５３は、スライドフレーム５２に設けられている。モーター５４は、ベースフレーム５１に固定され、ラック５３に噛み合うウォームギア５４Ａを有している。
【００４５】
この撮像装置１Ａでは、非使用時には、ビューファインダー２０は、本体１０内の収納位置Ｐ１に収まっている（図１ないし図３参照。）。使用時には、使用者が本体１０の背面１０Ｂのビューファインダー操作部（電気スイッチ）１０Ｅ（図１、図５および図７参照。または表示部１２のタッチパネルでもよい）を操作すると、モーター５４が回転し、ウォームギア５４Ａとラック５３が噛み合っているので、ラック５３がスライドする（図１３参照。）。これにより、スライドフレーム５２が本体１０の上方に移動し、ビューファインダーユニット２２が本体１０外にポップアップする（図４および図５参照）。上昇したスライドフレーム５２およびビューファインダーユニット２２は、ウォームギア５４Ａのセルフロックにより、ポップアップした位置で保持され、特に保持機構を設けなくてもよい。
【００４６】
収納位置Ｐ１では、第２弾性部材４１の付勢力によるビューファインダーユニット２２の移動は、本体１０の外装部材の背面１０Ｂにより抑制されている（図１０参照。）。しかしながら、ビューファインダーユニット２２が本体１０外に進出すると、第２弾性部材４１の付勢力によりビューファインダーユニット２２が本体１０の後方に進出し、使用位置Ｐ２に至る（図１１参照。）。
【００４７】
また、使用位置Ｐ２では、視度調整部２６が化粧部材２３の上面化粧部材２３Ａから露出して操作可能となる。以上により、ビューファインダー２０が使用可能な状態となる。
【００４８】
（第３の実施の形態）
図１４は、本開示の第３の実施の形態に係る撮像装置１Ｂの一部を拡大して表したものであり、具体的には、ビューファインダー２０が使用位置Ｐ２にある状態を表している。本実施の形態の撮像装置１Ｂは、ビューファインダー２０にアイセンサ６０を設けたことを除いては、上記第１の実施の形態の撮像装置１と同様の構成、作用および効果を有している。よって、対応する構成要素には同一の符号を付して説明する。
【００４９】
本体１０およびビューファインダー２０は、例えば、上記第１の実施の形態と同様に構成されている。
【００５０】
図１５は、アイセンサ６０の断面構成を表したものである。アイセンサ６０は、ビューファインダー２０への使用者の眼の接近を検知して表示部１２による表示とビューファインダー２０による表示とを切り替えるものである。アイセンサ６０は、例えば、センサ窓６１と、センサ装置６２と、反射部材６３とを有している。センサ装置６２は、センサ窓６１に対して垂直に設置されている。反射部材６３は、センサ窓６１とセンサ装置６２との間の光路ＬＰに設けられている。これにより、この撮像装置１Ｂでは、小型化が可能となっている。
【００５１】
センサ窓６１は、例えば、ビューファインダー２０の接眼面２２Ａ（例えば、覗き窓２１の周囲の領域、図１４では例えば左下方）に設けられている。このようにアイセンサ６０をビューファインダー２０に設けることにより、眼に近い位置にアイセンサ６０を設置し、検知精度を高めることが可能となる。また、収納位置Ｐ１ではアイセンサ６０が本体１０内に隠れた状態となり、誤操作のおそれが小さくなる。
【００５２】
センサ装置６２は、例えば、基板６２Ａ上に受光素子６２Ｂを有し、支持部材６４上に実装されている。
【００５３】
反射部材６３は、鏡面で光を反射する反射面６３Ａを有しており、これにより光の進路を変更するものである。反射部材６３は、図１５に示したようにセンサ窓６１と一体の部材として設けられていてもよいし、センサ窓６１とは別の部材として設けられていてもよい。
【００５４】
（参照例１）
図１６は、参照例１に係るアイセンサ６０Ｒ１の構成を表したものである。参照例１では、センサ窓６１とセンサ部６２とが対向して配置されているので、上下方向Ｙの収納スペースが大きくなる。
【００５５】
これに対して本実施の形態では、センサ装置６２を、センサ窓６１に対して垂直に設置し、センサ窓６１とセンサ装置６２との間の光路ＬＰに反射部材６３を設けて光の進路を変更するようにしている。よって、上下方向Ｙの収納スペースを小さくして、よりコンパクト化（実装体積の減少）し、本体１０を小型化することが可能となる。
【００５６】
図１７は、反射部材６３の変形例を表したものである。反射部材６３は、曲面の反射面６３Ｂを有していることが好ましい。このように反射部材６３に曲面などの光学特性を持たせることにより、センサ窓６１とセンサ装置６２との距離が離れていても、センサ特性の低下が抑えられる。
【００５７】
（参照例２）
図１８は、参照例２に係るアイセンサ６０Ｒ２の構成を表したものである。参照例２では、センサ窓６１とセンサ部６２との距離が離れているので、光が拡散し、センサ特性が低下するおそれがある。
【００５８】
これに対して図１７に示した変形例では、反射部材６３が曲面の反射面６３Ｂを有しているので、センサ窓６１とセンサ部６２との距離が離れていても光の拡散が抑えられ、センサ特性の低下が小さくなる。よって、センサ窓６１とセンサ部６２との距離を離して配置することも可能となり、実装の自由度が向上する。
【００５９】
このように本実施の形態では、センサ装置６２を、センサ窓６１に対して垂直に設置し、センサ窓６１とセンサ装置６２との間の光路ＬＰに反射部材６３を設けて光の進路を変更するようにしている。よって、上下方向Ｙの収納スペースを小さくして、よりコンパクトに実装し、本体１０を小型化することが可能となる。
【００６０】
更に、反射部材６３に曲面の反射面６３Ｂを設けるようにしたので、センサ窓６１とセンサ部６２との距離が離れている場合にセンサ特性の低下を抑えることが可能となる。
【００６１】
なお、上記第３の実施の形態では、アイセンサ６０をビューファインダー２０に設けた場合について説明したが、本実施の形態はアイセンサ６０を本体１０に設けた場合にも適用可能である。
【００６２】
以上、実施の形態を挙げて本開示を説明したが、本開示は上記実施の形態に限定されるものではなく、種々の変形が可能である。例えば、第１移動機構２４、第２移動機構２５、電気的移動機構２７の構成は、上記実施の形態で説明した例に限られず、他の構成を有していてもよい。
【００６３】
また、例えば、上記実施の形態では、ビューファインダー２０が本体１０の上方および後方の二方向に可動な場合について説明した。しかしながら、ビューファインダー２０は二方向に限らず三方向以上に可動とすることも可能である。また、ビューファインダー２０の動く方向や経路は特に限定されず、例えば縦位置撮影の場合には本体１０の横方向（Ｘ方向）に突出したのち本体１０の後方（Ｚ方向）に進出するようにすることも可能である。
【００６４】
更に、例えば、上記実施の形態では、小型デジタル一眼カメラを例として説明したが、本開示は、例えば図１９および図２０に示したように、デジタル一眼カメラへの適用も可能である。
【００６５】
加えて、例えば、上記実施の形態ではレンズが交換式である場合について説明したが、レンズは本体１０と一体型でもよい。その場合、図１に示した本体１０のボディマウント１１は省略可能である。
【００６６】
更にまた、例えば、上記実施の形態では、本体１０で撮像された画像を本体１０に付属する表示部１２に表示するようにした場合について説明したが、表示部１２に代えてスマートフォン（多機能携帯電話）のディスプレイやパーソナルコンピュータのモニタを用いることも可能である。
【００６７】
加えてまた、例えば、上記実施の形態において説明した各構成要素の形状、寸法および材料などは限定されるものではなく、他の形状、寸法および材料としてもよい。
【００６８】
更にまた、例えば、上記実施の形態では、撮像装置１の構成を具体的に挙げて説明したが、全ての構成要素を備えていなくてもよく、また、他の構成要素を更に備えていてもよい。
【００６９】
なお、本明細書に記載された効果はあくまで例示であって限定されるものではなく、また他の効果があってもよい。
【００７０】
本技術は以下のような構成を取ることも可能である。
（１）
本体と、
前記本体内に収納された収納位置と前記本体外に突出した使用位置との間で、二以上の方向に可動なビューファインダーと
を備えた撮像装置。
（２）
前記ビューファインダーは、互いに直交する二方向に可動である
前記（１）記載の撮像装置。
（３）
前記ビューファインダーは、前記収納位置から前記本体の上方に伸長したのち、前記本体の後方に進出して前記使用位置に至る
前記（１）または（２）記載の撮像装置。
（４）
前記本体は、上面に、前記ビューファインダーが前記本体に出入りする開口部を有する
前記（１）ないし（３）のいずれかに記載の撮像装置。
（５）
前記ビューファインダーは、
ビューファインダーユニットと、
前記ビューファインダーユニットを前記本体の上方に持ち上げる第１移動機構と
を有する前記（３）または（４）記載の撮像装置。
（６）
前記第１移動機構は機械的移動機構である
前記（５）記載の撮像装置。
（７）
前記第１移動機構は、
ベースフレームと、
前記ベースフレームに挿通されると共に前記ビューファインダーユニットに結合されたスライドフレームと、
前記ベースフレームと前記スライドフレームとの間に設けられ前記スライドフレームを上方に付勢する弾性部材と、
前記スライドフレームの上方への移動を規制する掛止機構と
を有する前記（６）記載の撮像装置。
（８）
前記弾性部材は、ばねである
前記（７）記載の撮像装置。
（９）
前記第１移動機構は電気的移動機構である
前記（５）記載の撮像装置。
（１０）
前記第１移動機構は、
ベースフレームと、
前記ベースフレームに挿通されると共に前記ビューファインダーユニットに結合されたスライドフレームと、
前記スライドフレームに設けられたラックと、
前記ベースフレームに固定されると共に前記ラックに噛み合うウォームギアを有するモーターと
を有する前記（９）記載の撮像装置。
（１１）
前記ビューファインダーは、前記ビューファインダーユニットを前記本体の後方に進出させる第２移動機構を更に有する
前記（５）ないし（１０）のいずれかに記載の撮像装置。
（１２）
前記第２移動機構は、弾性部材により構成されている
前記（１１）記載の撮像装置。
（１３）
前記弾性部材は、ばねである
前記（１２）記載の撮像装置。
（１４）
前記本体は、前面に、ボディマウントまたはレンズを有し、
前記ビューファインダーは、前記ボディマウントまたは前記レンズを回避して設けられている
前記（１）ないし（１３）のいずれかに記載の撮像装置。
（１５）
前記ビューファインダーは、
ビューファインダーユニットと、
前記ビューファインダーユニットを被覆する化粧部材と
を有し、
前記化粧部材は、前記ボディマウントまたは前記レンズを回避する切欠きを有する
前記（１４）記載の撮像装置。
（１６）
視度調整部を更に備え、
前記視度調整部は、前記ビューファインダーの上面に設けられると共に、前記収納位置では前記本体内に隠蔽され、前記使用位置において操作可能となる
前記（１）ないし（１５）のいずれかに記載の撮像装置。
（１７）
アイセンサを更に備え、
前記アイセンサは、
センサ窓と、
前記センサ窓に対して垂直に設置されたセンサ装置と、
前記センサ窓と前記センサ装置との間の光路に設けられた反射部材と
を有する前記（１）ないし（１６）のいずれかに記載の撮像装置。
（１８）
前記反射部材は、曲面を有する
前記（１７）記載の撮像装置。
【００７１】
本出願は、日本国特許庁において２０１４年５月１日に出願された日本特許出願番号２０１４−９４５９１号および２０１４年５月２日に出願された日本特許出願番号２０１４−９５５２１号を基礎として優先権を主張するものであり、この出願のすべての内容を参照によって本出願に援用する。
【００７２】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
0006575513.tif 000002
【図２】
0006575513.tif 000003
【図３】
0006575513.tif 000004
【図４】
0006575513.tif 000005
【図５】
0006575513.tif 000006
【図６】
0006575513.tif 000007
【図７】
0006575513.tif 000008
【図８】
0006575513.tif 000009
【図９】
0006575513.tif 000010
【図１０】
0006575513.tif 000011
【図１１】
0006575513.tif 000012
【図１２】
0006575513.tif 000013
【図１３】
0006575513.tif 000014
【図１４】
0006575513.tif 000015
【図１５】
0006575513.tif 000016
【図１６】
0006575513.tif 000017
【図１７】
0006575513.tif 000018
【図１８】
0006575513.tif 000019
【図１９】
0006575513.tif 000020
【図２０】
0006575513.tif 000021